(57)【特許請求の範囲】
【請求項１】
光導波路ケーブル（２）を電気機器に接続するための接続装置であって、ハウジング（５）と、ケーブル螺合部（６）と、電気機器の、対応するソケット（８）内に差し込むための光導波路コネクタ（７）とが設けられており、ハウジング（５）が、光導波路ケーブル（２）を導入するかもしくは貫通させるためのケーブル路（１０）を有しており、光導波路コネクタ（７）が、少なくとも部分的にハウジング（５）内に保持されていて、ケーブル路（１０）内に導入された光導波路ケーブル（２）のファイバに結合可能である形式のものにおいて、ハウジング（５）が、２つの部分から形成されており、つまり、光導波路コネクタ（７）を収容するための第１のハウジング部分（１１）と、ユニオンナット（１３）を有するケーブル螺合部（６）に結合するための第２のハウジング部分（１２）とを有しており、第１のハウジング部分（１１）の、第２のハウジング部分（１２）に対応配置された端部が、結合領域（１４）を有しており、第１のハウジング部分（１１）が、第２のハウジング部分（１２）に結合可能であり、かつ結合された状態で軸方向に移動可能であるように、結合領域（１４）が形成されており、第２のハウジング部分（１２）に２つのストッパが形成されており、第１のハウジング部分（１１）に２つの対応ストッパが形成されており、これによって、第２のハウジング部分（１２）と第１のハウジング部分（１１）とが、規定された量だけ互いに軸方向に移動可能であり、第１のハウジング部分（１１）の結合領域（１４）に少なくとも１つの窓（１５）が形成されており、第２のハウジング部分（１２）の、第１のハウジング部分（１１）に対応配置された側に、突出部（１７）を備えた少なくとも１つの係止アーム（１６）が形成されており、突出部（１７）が、第１のハウジング部分（１１）と第２のハウジング部分（１２）との結合状態で窓（１５）内に係合しており、係止アーム（１６）に設けられた突出部（１７）が、導入斜面（１８）と段部（１９）とを有しており、第１のハウジング部分（１１）に第２のストッパ（２２）が形成されており、第１のハウジング部分（１１）の第１の位置で、窓（１５）の第１の縁部（２０）が、突出部（１７）の段部（１９）に接触し、第１のハウジング部分（１１）の、軸方向に移動させられた第２の位置で、係止アーム（１６）の自由端部（２１）が、第２のストッパ（２２）に接触することを特徴とする、光導波路ケーブルを電気機器に接続するための接続装置。
【請求項２】
光導波路ケーブル（２）を電気機器に接続するための接続装置であって、ハウジング（５）と、ケーブル螺合部（６）と、前記電気機器の、対応するソケット（８）内に差し込むための光導波路コネクタ（７）とが設けられており、ハウジング（５）が、光導波路ケーブル（２）を導入するかもしくは貫通させるためのケーブル路（１０）を有しており、光導波路コネクタ（７）が、少なくとも部分的にハウジング（５）内に保持されていて、ケーブル路（１０）内に導入された光導波路ケーブル（２）のファイバに結合可能である形式のものにおいて、ハウジング（５）が、２つの部分から形成されており、つまり、光導波路コネクタ（７）を収容するための第１のハウジング部分（１１）と、ユニオンナット（１３）を有するケーブル螺合部（６）に結合するための第２のハウジング部分（１２）とを有しており、第１のハウジング部分（１１）の、第２のハウジング部分（１２）に対応配置された端部が、結合領域（１４）を有しており、第１のハウジング部分（１１）が、第２のハウジング部分（１２）に結合可能であり、かつ結合された状態で軸方向に移動可能であるように、結合領域（１４）が形成されており、第２のハウジング部分（１２）に２つのストッパが形成されており、第１のハウジング部分（１１）に２つの対応ストッパが形成されており、これによって、第２のハウジング部分（１２）と第１のハウジング部分（１１）とが、規定された量だけ互いに軸方向に移動可能であり、第１のハウジング部分（１１）の結合領域（１４）に少なくとも１つの舌片が形成されており、第２のハウジング部分（１２）の、第１のハウジング部分（１１）に対応配置された側に、突出部（１７）を備えた少なくとも１つの係止アーム（１６）が形成されており、該係止アーム（１６）が、第１のハウジング部分（１１）と第２のハウジング部分（１２）との結合状態で前記舌片を貫いて延びていることを特徴とする、光導波路ケーブルを電気機器に接続するための接続装置。
【請求項３】
係止アーム（１６）に設けられた突出部（１７）が、導入斜面（１８）と段部（１９）とを有しており、第２のハウジング部分（１２）に第２のストッパが形成されており、第１のハウジング部分（１１）の第１の位置で、前記舌片の、第２のハウジング部分（１２）と反対の側の縁部が、突出部（１７）の段部（１９）に接触しており、第１のハウジング部分（１１）の、軸方向に移動させられた第２の位置で、第１のハウジング部分（１１）の、第２のハウジング部分（１２）に向かい合った端面が、前記第２のストッパに接触している、請求項２記載の接続装置。
【請求項４】
光導波路ケーブル（２）を電気機器に接続するための接続装置であって、ハウジング（５）と、ケーブル螺合部（６）と、電気機器の、対応するソケット（８）内に差し込むための光導波路コネクタ（７）とが設けられており、ハウジング（５）が、光導波路ケーブル（２）を導入するかもしくは貫通させるためのケーブル路（１０）を有しており、光導波路コネクタ（７）が、少なくとも部分的にハウジング（５）内に保持されていて、ケーブル路（１０）内に導入された光導波路ケーブル（２）のファイバに結合可能である形式のものにおいて、ケーブル螺合部（６）が、２つの部分から形成されており、つまり、雄ねじ山（３２）を備えたスリーブ状の部分（３１）と、対応する雌ねじ山（２７）を備えた、スリーブ状の部分（３１）にねじ被せ可能なユニオンナット（１３）とを有しており、ハウジング（５）の、ケーブル螺合部（６）に対応配置された端部が、結合領域（３３）を有しており、スリーブ状の部分（３１）が、結合領域（３３）に結合可能であり、かつ結合された状態でハウジングとスリーブ状の部分（３１）とが、互いに相対的に軸方向に移動可能であるように、結合領域（３３）が形成されており、ケーブル螺合部（６）のスリーブ状の部分（３１）に２つのストッパが形成されており、ハウジング（５）の結合領域（３３）に２つの対応ストッパが形成されており、これによって、ハウジング（５）とスリーブ状の部分（３１）とが、規定された量だけ互いに軸方向に移動可能であり、ケーブル螺合部（６）のスリーブ状の部分（３１）に少なくとも１つの切欠き（３４）が形成されており、ハウジング（５）の結合領域（３３）に少なくとも１つの突出部（３５）が形成されており、該突出部（３５）が、ハウジング（５）とケーブル螺合部（６）のスリーブ状の部分（３１）との結合状態で切欠き（３４）内に係合していることを特徴とする、光導波路ケーブルを電気機器に接続するための接続装置。
【請求項５】
ハウジング（５）の結合領域（３３）に設けられた突出部（３５）が、導入斜面（３６）と段部（３７）とを有しており、ハウジング（５）の第１の位置で、突出部（３５）の段部（３７）が、切欠き（３４）の第１の縁部（３８）に接触し、ハウジング（５）の、軸方向に移動させられた第２の位置で、結合領域（３３）の端面（３９）が、切欠き（３４）の、反対の側に位置する縁部（４０）に接触する、請求項４記載の接続装置。
【発明の詳細な説明】
【技術分野】
【０００１】
本発明は、ケーブル、特に光導波路を電気機器に接続するための接続装置であって、ハウジングと、ケーブル螺合部と、電気機器の、対応するソケット内に差し込むためのコネクタとが設けられており、ハウジングが、ケーブルを導入するかもしくは貫通させるためのケーブル路を有しており、コネクタが、少なくとも部分的にハウジング内に保持されていて、ケーブル路内に導入されたケーブルのファイバもしくは心線に結合可能である形式のものに関する。
【背景技術】
【０００２】
ケーブルを電気機器、特に通信装置、たとえばコンピュータ、ノートブックまたは電話設備に接続するための接続装置は実際の使用から知られている。この場合、ケーブルがコネクタに結合されており、このコネクタが、電気機器に設けられた対応するソケット内に差し込まれることによって、ケーブルは簡単に電気機器に接続される。電気機器へのケーブルの接続を簡単にするためには、通常、少なくとも１つのケーブル端部がすでにコネクタに結合されている。
【０００３】
電気的なケーブルに用いられる既知の接続装置は、標準的に、実際にはＲＪ−４５コネクタまたはウェスタンコネクタとして知られているケーブル側の８極のコネクタと、相応の機器側の接続ソケットとから成っている。この場合、コネクタは、たいてい圧着接続技術でケーブルに結合されているものの、このケーブルにろう接されていてもよい。この場合、コネクタは、たいていソケット内への差込み時に係止アームによって位置固定されるものの、ソケットにもしくは電気機器に既存の固定フックによって保持されてもよいし、ねじによって電気機器にねじ締結されてもよい。
【０００４】
さらに、光ケーブル、すなわち、光導波路に用いられる接続装置も存在する。光導波路とは、光伝送ために適した光学的な構成エレメントである。この構成エレメントは、しばしば、その長さに比べて極めて細い、束にまとめられた個々の多数のガラスファイバまたはプラスチックファイバ、特にポリマファイバから成っている。ただし、以下では、このような個別ファイバも光導波路と解釈することにする。この場合、個々のガラスファイバまたはプラスチックファイバは、一般的にプラスチック被覆体によって取り囲まれている。光の、電気信号に比べて著しく高いキャリヤ周波数によって、従来の同軸ケーブルよりも、同じ時間で多くのデータ量もしくは短い時間で同じデータ量を伝送することができる。さらに、光導波路では、ＥＭＶ問題も存在しない。１つのガラスファイバに比べて、１つのポリマファイバは著しく高い減衰値と大きな直径とを有しているものの、廉価にかつ簡単に設置することができる。
【０００５】
送受信装置の改良だけでなく光導波路の改良にも基づき、この光導波路を介した信号の伝送時の損失がますます減らされた。したがって、近年では、信号の伝送のための光導波路の使用も著しく増えた。したがって、光導波路に用いられる、簡単に取り扱うことができると共に迅速に接続可能な接続装置（光導波路コネクタ）の需要が増加している。
【０００６】
光導波路の接続技術に対して、互いに相容性でない標準化された多数の差込み接続が存在する。最も頻繁な標準光導波路コネクタは、ＳＴコネクタ、ＰＣ／ＦＣコネクタおよびＳＣコネクタである。この場合、ＳＣコネクタがますます普及している。このＳＣコネクタ（ＩＥＣ８７４−１９）は、極性付与されたプッシュ／プル型コネクタとして、その僅かな寸法および高い充填密度によって特徴付けられた光導波路コネクタである。このコネクタは正方形のデザインを有していて、マルチモードファイバおよびモノモードファイバのために使用することができる。コネクタによって、シンプレックス（単一）接続、デュープレックス（二重）接続および多重接続を形成することができる。コネクタはその構造によって相対回動不能であり、対応するソケットとの自動的なロック手段を有している。このような光導波路コネクタを、対応するソケットから解離するためには、コネクタハウジングを軸方向に約１〜２ｍｍの短い量だけソケットから引き離すことが必要となる。これによって、フェルールを収容した内側ハウジングに対する外側のコネクタハウジングの所望の相対移動が生ぜしめられる。これによって、コネクタの内側ハウジングと、対応するソケットとの間の機械的なロックが解除される。
【０００７】
しかし、この場合、既知の標準光導波路コネクタは、極めて制限されてしか厳しい産業環境に使用することができないということが欠点となる。したがって、標準光導波路コネクタを収容しかつ機械的な負荷と汚物および湿分とに対して防護するハウジングが開発された。このためには、既知の接続装置（「Ｐｈｏｅｎｉｘ  Ｃｏｎｔａｃｔ  ＮＥＵＨＥＩＴＥＮ  Ｋａｔａｌｏｇ  ２００４」（第１５２頁）参照）が、本来のコネクタを収容するハウジングのほかに、特に接続したいケーブルをシールするためのケーブル螺合部を有している。しかし、既知の接続装置では、ハウジング内へのコネクタと、接続したい光導波路との所望の確実なかつ不動の収容、特にケーブル螺合部による光導波路の、シールのために必要となる位置固定が問題となる。この位置固定は、コネクタハウジングの、コネクタのロック解除のために必要となる軸方向の移動可能性を妨害する。
【非特許文献１】「Ｐｈｏｅｎｉｘ  Ｃｏｎｔａｃｔ  ＮＥＵＨＥＩＴＥＮ  Ｋａｔａｌｏｇ  ２００４」（第１５２頁）
【発明の開示】
【発明が解決しようとする課題】
【０００８】
したがって、本発明の課題は、冒頭で述べた形式の接続装置を改良して、可能な限りコンパクトな構造で、コネクタと、接続したいケーブルとの確実な機械的な防護だけでなく、コネクタと、対応するソケットとの簡単な組付け可能性および取外し可能性も可能となるようにすることである。
【課題を解決するための手段】
【０００９】
この課題を解決するために本発明の第１の構成では、ハウジングが、２つの部分から形成されており、つまり、コネクタを収容するための第１のハウジング部分と、ユニオンナットを有するケーブル螺合部に結合するための第２のハウジング部分とを有しており、第１のハウジング部分の、第２のハウジング部分に対応配置された端部が、結合領域を有しており、第１のハウジング部分が、第２のハウジング部分に結合可能であり、かつ結合された状態で軸方向に移動可能であるように、結合領域が形成されており、第２のハウジング部分に少なくとも１つのストッパが形成されており、第１のハウジング部分に少なくとも１つの対応ストッパが形成されており、これによって、第２のハウジング部分と第１のハウジング部分とが、規定された量だけ互いに軸方向に移動可能であるようにした。
【００１０】
さらに、前記課題を解決するために本発明の第２の構成では、ケーブル螺合部が、２つの部分から形成されており、つまり、雄ねじ山を備えたスリーブ状の部分と、対応する雌ねじ山を備えた、スリーブ状の部分にねじ被せ可能なユニオンナットとを有しており、ハウジングの、ケーブル螺合部に対応配置された端部が、結合領域を有しており、スリーブ状の部分が、結合領域に結合可能であり、かつ結合された状態でハウジングとスリーブ状の部分とが、互いに相対的に軸方向に移動可能であるように、結合領域が形成されており、ケーブル螺合部のスリーブ状の部分に少なくとも１つのストッパが形成されており、ハウジングの結合領域に少なくとも１つの対応ストッパが形成されており、これによって、ハウジングとスリーブ状の部分とが、規定された量だけ互いに軸方向に移動可能であるようにした。
【発明の効果】
【００１１】
本発明による装置が、特に光導波路の接続のために適している場合でも、本発明による装置は、電気的なケーブルの接続のためにも使用することができる。つまり、既知の光導波路コネクタに相俟って前述した問題性のほかに、電気的なケーブルの接続のためのコネクタが、一方では、組付けまたは取外しのために係止遊びを必要とし、他方では、機械的な防護およびシールのために引張り負荷軽減されていて、これによって、軸方向で位置固定されている使用事例も可能である。
【００１２】
前述した、本発明の択一的な両解決手段には、コネクタを収容するハウジングもしくは第１のハウジング部分と、ケーブルをシールしかつ軸方向で位置固定するユニオンナットとの間に、ケーブルをシールしかつ位置固定するユニオンナットひいてはケーブルに対してハウジングもしくは第１のハウジング部分の軸方向の移動を可能にする付加的な構成部材が配置されていることが共通している。この場合、第２のハウジング部分もしくはケーブル螺合部のスリーブ状の部分にストッパを形成し、第１のハウジング部分もしくはハウジングの結合領域に対応ストッパを形成することによって、軸方向の移動可能性が、設定された長さに制限されていることが保証されている。これによって、コネクタもしくはコネクタに結合されたケーブルの損傷だけでなく、接続装置の望ましくない取外しも阻止される。
【００１３】
本発明の第１の構成の第１の有利な構成によれば、第１のハウジング部分の結合領域に少なくとも１つの窓が形成されており、第２のハウジング部分の、第１のハウジング部分に対応配置された側に、突出部を備えた少なくとも１つの係止アームが形成されており、この係止アームの突出部が、第１のハウジング部分と第２のハウジング部分との結合状態で窓内に係合している。したがって、この構成では、第２のハウジング部分に対する第１のハウジング部分の最大の移動量が、窓と係止アームもしくは突出部との寸法によって規定される。さらに、係止アームと窓との構成によって、第１のハウジング部分と第２のハウジング部分との組付け状態で両ハウジング部分相互の回動防止が付与されている。
【００１４】
この場合、係止アームに設けられた突出部が、導入斜面と段部もしくは縁部とを有していると有利である。この場合、導入斜面によって、両ハウジング部分の組付けもしくは差合せが容易になる。さらに、両方向への第１のハウジング部分の軸方向の移動可能性を制限するためには、第１のハウジング部分に第２のストッパが設けられている。この場合、第１のハウジング部分の第１の位置では、窓の第１の縁部が突出部の段部に接触しているのに対して、第１のハウジング部分の、軸方向に移動させられた第２の位置では、係止アームの自由端部が第２のストッパに突き当たっている。したがって、第２のハウジング部分は、突出部の段部と係止アームの自由端部とで２つのストッパを有しており、第１のハウジング部分は、窓の第１の縁部と第２のストッパとで２つの対応ストッパを有している。
【００１５】
択一的な構成では、第１のハウジング部分の結合領域に、窓の代わりに舌片が形成されている。この舌片を貫いて、第２のハウジング部分の係止アームが、両ハウジング部分の組付け状態で延びている。この場合にも、係止アームは、前述したように、導入斜面と段部とを備えた突出部を有している。この場合、いま、軸方向の移動可能性を両側で制限するためには、第２のハウジング部分に第２のストッパが形成されている。この場合、第１のハウジング部分の第１の位置では、舌片の、第２のハウジング部分と反対の側の縁部が、突出部の段部に接触しているのに対して、第１のハウジング部分の第２の位置では、第１のハウジング部分の、第２のハウジング部分に向かい合った端面が、第２のストッパに接触している。この構成では、最大限に可能な軸方向の移動量が、係止アームの長さと、特に突出部の段部と第２のストッパとの間の間隔と、舌片の位置および幅とによって規定される。
【００１６】
２つの部分から成るハウジングの所望のシール性を保証するために、有利には、第２のハウジング部分の、第１のハウジング部分に対応配置された側に、円筒状の延長部が形成されており、この延長部が、両ハウジング部分の組付け状態で第１のハウジング部分内に延びている。この場合、延長部の端部と、第１のハウジング部分に形成された窓とは完全にオーバラップしており、これによって、ケーブル室に通じる開放した貫通孔は存在しない。この場合、２つの部分から成るハウジングのシール性は、第２のハウジング部分の延長部の領域に、相応のシールエレメントが配置されていることによって一層改善することができる。この場合、このシールエレメントは、第１のハウジング部分と第２のハウジング部分との間の軸方向の移動を妨害せず、いずれにせよ著しく妨害しないように形成されていると共に配置されている。
【００１７】
本発明の第２の構成による接続装置の場合、ハウジングとケーブル螺合部のスリーブ状の部分との間の軸方向の移動可能性は、有利には、ケーブル螺合部のスリーブ状の部分に少なくとも１つの切欠きが形成されており、ハウジングの結合領域に、対応する少なくとも１つの突出部が形成されており、この突出部が、ハウジングとスリーブ状の部分との結合状態で切欠き内に係合していて、この切欠き内で、規定された量だけ軸方向に移動可能であることによって実現される。
【００１８】
この場合、ハウジングの結合領域に設けられた突出部が、導入斜面と段部とを有していると有利であり、これによって、導入斜面により、ハウジングとケーブル螺合部のスリーブ状の部分との組付けが容易になり、段部により、正確な対応ストッパが形成されている。この場合、ハウジングの第１の位置では、突出部の段部が切欠きの第１の縁部に接触しているのに対して、ハウジングの、軸方向に移動させられた第２の位置では、結合領域の端面が、切欠きの、第１の縁部と反対の側に位置する縁部に突き当たっている。したがって、この場合にも、最大限に可能な移動量を切欠きと突出部との寸法によって簡単に調整することができる。
【００１９】
本発明の第１の構成と同様に本発明の第２の構成でも、ハウジングとケーブル螺合部、特にケーブル螺合部の第１の部分、すなわち、スリーブ状の部分との間のシール性は、ハウジングの結合領域にかつ／またはケーブル螺合部のスリーブ状の部分に、シールエレメントを収容するための溝が形成されており、シールエレメントがやはり、ハウジングとケーブル螺合部のスリーブ状の部分との間の軸方向の移動可能性に影響を与えないように形成されているかもしくは配置されていることによって一層改善することができる。
【００２０】
以下に、本発明による接続装置のさらに幾つかの有利な構成を説明する。これらの構成は、本発明の第１の構成による第１の択一的な構成だけでなく、本発明の第２の構成による第２の択一的な構成でも実現することができる。
【００２１】
この場合、ケーブル螺合部のシールを改善するためには、特に第２のハウジング部分が、ケーブル螺合部に対応配置された端部もしくはケーブル螺合部のスリーブ状の部分の、ユニオンナットに対応配置された端部でシールクラウンとして形成されている。この場合、ユニオンナットのねじ被せ時には、軸方向に延びる複数の切込みを有するシールクラウンが、ユニオンナットの、円錐形に先細りにされた端部によって押し合わされる。これによって、ケーブルが軸方向で位置固定され、したがって、このケーブルに結合されたコネクタが引張り負荷軽減される。さらに、シールクラウンの内部には、ケーブルシール部材が配置されていてよい。これによって、ユニオンナットのねじ被せ時のハウジング内室もしくはケーブル路のシールが改善される。
【００２２】
さらに、接続したいケーブルの機械的な防護のために、有利には、ユニオンナットがフレキシブルなアンチキンクスリーブに結合されていることが提案されている。これによって、接続装置のケーブル側の端部でのケーブルのキンクが阻止される。さらに、ハウジングもしくは第１のハウジング部分に、接続装置をソケットもしくは電気機器に機械的に位置固定するためのばね弾性的な少なくとも２つの係止手段が配置されている。
【００２３】
個々には、いま、本発明による接続装置を形成しかつ改良する多数の可能性が存在する。このためには、請求項１および１０に従属する請求項だけでなく、図面に基づく２つの有利な実施例の説明が参照される。
【発明を実施するための最良の形態】
【００２４】
以下に、本発明を実施するための最良の形態を図面につき詳しく説明する。
【００２５】
図面には、ケーブルを接続するための接続装置１の二種類の構成が示してある。この場合、図示の実施例では、接続装置１が、２つの光導波路３，４を備えた光導波路ケーブル２を接続するために設けられている。接続装置１は、ハウジング５と、ケーブル螺合部６と、ここではフロントプレート９しか図示していない電気機器の、対応するソケット８内に差し込むためのコネクタ７とを有している。光導波路ケーブル２を導入するかもしくは貫通させるためには、ハウジング５がケーブル路１０を有している。
【００２６】
この場合、図７にしか示していない光導波路３，４の個々のガラスファイバまたはプラスチックファイバは、ハウジング５内へのケーブル２の導入前にすでにコネクタ７に結合されていてよい。このコネクタ７自体はその後方の領域でハウジング５内に保持されていて、この場合、ハウジング５に軸方向で位置固定されている。しかし、さらに、光導波路ケーブル２が、まず、ハウジング５もしくはケーブル路１０に押し通され、次いで、絶縁され、その後初めてコネクタ７に結合されることも可能である。
【００２７】
図１〜図４に示した本発明による接続装置１の第１の実施例では、ハウジング５が、コネクタ７を収容するための第１のハウジング部分１１と、ユニオンナット１３を有するケーブル螺合部６に結合するための第２のハウジング部分１２とを有している。したがって、ハウジング５は、特に図２から明らかであるように、２つの部分から形成されている。この場合、第１のハウジング部分１１は結合領域１４を有している。この結合領域１４は、第１のハウジング部分１１が第２のハウジング部分１２に係止可能であるように形成されている。しかし、この場合、第２のハウジング部分１２に対する第１のハウジング部分１１の軸方向の移動が可能となるように、第１のハウジング部分１１と第２のハウジング部分１２との間の係止部が形成されていることが重要となる。ただし、この場合、軸方向の移動は制限されている。
【００２８】
このためには、第１のハウジング部分１１の結合領域１４に窓１５が形成されている。この窓１５内には、第１のハウジング部分１１と第２のハウジング部分１２との組付け状態で、この第２のハウジング部分１２に設けられた係止アーム１６が、この係止アーム１６に形成された突出部１７で係合している。この場合、この突出部１７は、導入斜面１８と、この導入斜面１８に直接続く段部１９とを有している。導入斜面１８は、第１のハウジング部分１１内への第２のハウジング部分１２の差込み方向に対して逆方向に延びており、これによって、導入斜面１８と係止アーム１６の弾性とにより、第２のハウジング部分１２を簡単に第１のハウジング部分１１内に押し込むことができ、この第１のハウジング部分１１内に係止することができる。この場合、第２のハウジング部分１２（これと共にケーブル２も）は、窓１５内への係止アーム１６の突出部１７の係止によって第１のハウジング部分１１に対して相対回動不能にも保持されている。
【００２９】
特に図４ａおよび図４ｂにつき、第２のハウジング部分１２に対して相対的な第１のハウジング部分１１の両終端位置が明らかである。この場合、図４ａに示した第１のハウジング部分１１の第１の位置では、窓１５の第１の縁部２０が突出部１７の段部１９に接触している。これに対して、図４ｂに示した第１のハウジング部分１１の第２の位置では、突出部１７の段部１９が窓１５の縁部２０から軸方向の量ｘだけ移動させられている。この場合、この移動は、係止アーム１６の自由端部２１が、第１のハウジング部分１１に形成された第２のストッパ２２に接触することによって制限されている。
【００３０】
第２のハウジング部分１２は軸方向でケーブル螺合部６に固く結合されており、このケーブル螺合部６は、完全に組み付けられた状態で、導入された光導波路ケーブル２も軸方向で位置固定しているので、第１のハウジング部分１１の軸方向の移動は、第２のハウジング部分１２に対する移動だけでなく、ケーブル螺合部６によって位置固定された光導波路ケーブル２に対する移動も生ぜしめる。さらに、コネクタ７も軸方向で第１のハウジング部分１１に位置固定されているので、光導波路ケーブル２に対して相対的なコネクタ７の軸方向の移動も行われる。このことは、特に図３ａおよび図３ｂから明らかであり、あとでさらに詳しく説明する。
【００３１】
たとえば図２から明らかであるように、第２のハウジング部分１２は、第１のハウジング部分１１に対応配置された側に円筒状の延長部２３を有している。この延長部２３は、組み付けられた状態で第１のハウジング部分１１の結合領域１４の内部に位置している。この場合、図３ａおよび図３ｂから明らかであるように、延長部２３は、第１のハウジング部分１１の結合領域１４に設けられた窓１５の領域を越えて延びており、これによって、ケーブル路１０に通じる、ハウジング５に設けられた開放した貫通孔が存在しないように寸法設定されている。さらに、ケーブル路１０のシールは、第２のハウジング部分１２の延長部２３に、シールエレメント２５を収容するための溝２４が形成されていることによって十分に保証されている。シールエレメント２５は延長部２３を、第１のハウジング部分１１に設けられた対応するより小さな延長部２６に対してシールする。この場合、シールエレメント２５もしくは延長部２６は、シールエレメント２５が第１のハウジング部分１１と第２のハウジング部分１２との間の軸方向の移動可能性を阻止しないように形成されている。
【００３２】
さらに、図２〜図４に示したように、第２のハウジング部分１２は、ケーブル螺合部６に対応配置された端部に、ユニオンナット１３の雌ねじ山２７に対応する雄ねじ山２８と、冠状のシール部分として形成されたシールクラウン２９とを有している。この場合、第２のハウジング部分１２の雄ねじ山２８へのユニオンナット１３のねじ被せ時には、シールクラウン２９が、ユニオンナット１３の、先細りにされた端部３０によって圧縮される。これによって、光導波路ケーブル２がシールされるだけでなく、引張り負荷軽減される、すなわち、軸方向で位置固定される。
【００３３】
図５〜図７に示した第２の実施例の接続装置１も同じく、ハウジング５と、ケーブル螺合部６と、光導波路ケーブル２の光導波路３，４のファイバを接続するためのコネクタ７とを有している。しかし、前述した実施例と異なり、いまや、ハウジング５ではなく、ケーブル螺合部６が２つの部分から形成されている。つまり、このケーブル螺合部６はユニオンナット１３のほかに、さらに、このユニオンナット１３をねじ被せることができる雄ねじ山３２を備えたスリーブ状の部分３１を有している。この場合、このスリーブ状の部分３１はその外側の構成によって、図１〜図４に示した第２のハウジング部分１２のケーブル側の端部に類似している。
【００３４】
ハウジング５の、ケーブル螺合部６に対応配置された端部もやはり結合領域を有しているものの、いまや、異なって形成された結合領域３３を有している。この結合領域３３は、スリーブ状の部分３１が、一方では、結合領域３３に係止可能であるものの、他方では、制限されて軸方向に移動可能であるように形成されている。
【００３５】
このためには、ケーブル螺合部６のスリーブ状の部分３１内に複数の切欠き３４が形成されており、ハウジング５の結合領域３３に複数の突出部３５が形成されている。これらの突出部３５は、ハウジング５とケーブル螺合部６のスリーブ状の部分３１との組付け状態で切欠き３４内に係合していて、この切欠き３４内で、規定された量ｘだけ軸方向に移動可能である。この場合、結合領域３３の突出部３５は、図１〜図４に示した係止アーム１６の突出部１７に類似して、それぞれ１つの導入斜面３６と段部３７とを有している。導入斜面３６によって、やはり、ハウジング５の結合領域３３へのスリーブ状の部分３１の被嵌めが容易になる。
【００３６】
この場合、特に図５から明らかであるように、結合領域３３は、軸方向のスリットによって互いに分離された複数の突出部３５を有しており、スリーブ状の部分３１は、軸方向のウェブによって互いに分離された複数の切欠き３４を有している。この分割によって、スリーブ状の部分３１と結合領域３３との半径方向の回動ひいてはケーブル螺合部６とハウジング５との半径方向の回動が、組み付けられた状態で阻止される。したがって、この構成でも、簡単に回動防止が実現されている。
【００３７】
図７ａに示したハウジング５の第１の位置では、突出部３５の段部３７が切欠き３４の第１の縁部３８に接触している。ハウジング５が量ｘだけ移動させられると、結合領域３３の端面３９、図示の実施例では、突出部３５の端部が、切欠き３４の、第１の縁部３８と反対の側に位置する縁部４０に接触する。この場合、ハウジング５は、図７ｂに示した第２の位置に位置している。したがって、切欠き３４と突出部３５との寸法設定によって、最大限に可能な軸方向の移動量ｘが規定される。
【００３８】
十分なシール性および引張り負荷軽減を保証するために、第２の実施例でも、シールエレメント４２を収容するための溝４１が設けられている。この場合、この溝４１はハウジング５の結合領域３３に配置されている。さらに、スリーブ状の部分３１は雄ねじ山３２のほかにシールクラウン４３も有している。このシールクラウン４３の内部には、付加的にケーブルシール部材４４が配置されている。当然ながら、このようなケーブルシール部材４４は、図１〜図４に示した接続装置１の実施例でも、そこで第２のハウジング部分１２に形成されたシールクラウン２９の内部に配置されていてよい。
【００３９】
接続したい光導波路ケーブル２に対する付加的な機械的な防護手段として、図１〜図４に示したケーブル螺合部６は、ユニオンナット１３に結合されたアンチキンクスリーブ４５を有している。さらに、図面からなおも知ることができるように、ハウジング５もしくは第１のハウジング部分１１に、ばね弾性的な２つの係止手段４６が配置されている。両係止手段４６は、それぞれウェブ４７を介してハウジング５に結合された係止アーム４８と、この係止アーム４８に端部側で配置された係止突起４９とから成っている。この係止突起４９は、電気機器またはソケット８のフロントプレート９に設けられた相応の切欠き５０内に係止する。
【００４０】
図示の実施例は、それぞれ光導波路ケーブル２に用いられる接続装置１であるので、コネクタ７も相応に形成されている。具体的には、このコネクタ７はＳＣコネクタである。このＳＣコネクタは外側のコネクタハウジング５１を有している。このコネクタハウジング５１は、それぞれ内側ハウジング５２内に収容された２つのフェルール５３を備えている。光導波路ケーブル２のファイバを収容するために働くフェルール５３は、ばね５４を介して内側ハウジング５２内に軸方向に移動可能に支承されている。さらに、内側ハウジング５２もコネクタハウジング５１に対して相対的に軸方向に移動可能に配置されている。ソケット８内でのフェルール５３の確実なかつ正確な位置決めを保証するためには、コネクタ７の内側ハウジング５２がソケット８の相応のソケット内側ハウジング５５内に係止可能である。
【００４１】
いま、このように既知のＳＣコネクタをロック解除するためには、コネクタハウジング５１が内側ハウジング５２に対して相対的に軸方向に約１〜２ｍｍだけ引き戻されることが必要となる。このことは、本発明による接続装置１では、コネクタハウジング５１に軸方向で剛性的に結合されたハウジング５もしくは第１のハウジング部分１１が引き戻され、これによって、図３ｂに示したように、コネクタハウジング５１も内側ハウジング５２に対して軸方向に移動させられることによって行うことができる。しかし、同時に、第１のハウジング部分１１と第２のハウジング部分１２との間のもしくはハウジング５とスリーブ状の部分３１との間の、付与された軸方向の移動可能性によって、光導波路ケーブル２の、損傷に繋がる望ましくない圧縮が回避される。なぜならば、第１のハウジング部分１１もしくはハウジング５の軸方向の移動が、ケーブル螺合部６に対するフェルール５３のまたはフェルール５３に結合された光導波路３，４の軸方向の移動に繋がらないからである。
【図面の簡単な説明】
【００４２】
【図１】本発明の第１の特徴的構成による接続装置の実施例の斜視図である。
【図２】図１に示した接続装置の分解図である。
【図３ａ】第１の位置における第１のハウジング部分を備えた図１に示した接続装置の縦断面図である。
【図３ｂ】第２の位置における第１のハウジング部分を備えた図１に示した接続装置の縦断面図である。
【図４ａ】第１の位置における第１のハウジング部分を備えた図３に示した接続装置の一部の拡大縦断面図である。
【図４ｂ】第２の位置における第１のハウジング部分を備えた図３に示した接続装置の一部の拡大縦断面図である。
【図５】本発明の第２の特徴的構成による本発明による接続装置の分解図である。
【図６】図５に示した接続装置の縦断面図である。
【図７ａ】第１の位置におけるハウジングを備えた図６に示した接続装置の拡大図である。
【図７ｂ】第２の位置におけるハウジングを備えた図６に示した接続装置の拡大図である。
【符号の説明】
【００４３】
１  接続装置、  ２  光導波路ケーブル、  ３  光導波路、  ４  光導波路、  ５  ハウジング、  ６  ケーブル螺合部、  ７  コネクタ、  ８  ソケット、  ９  フロントプレート、  １０  ケーブル路、  １１  第１のハウジング部分、  １２  第２のハウジング部分、  １３  ユニオンナット、  １４  結合領域、  １５  窓、  １６  係止アーム、  １７  突出部、  １８  導入斜面、  １９  段部、  ２０  縁部、  ２１  自由端部、  ２２  ストッパ、  ２３  延長部、  ２４  溝、  ２５  シールエレメント、  ２６  延長部、  ２７  雌ねじ山、  ２８  雄ねじ山、  ２９  シールクラウン、  ３０  端部、  ３１  スリーブ状の部分、  ３２  雄ねじ山、  ３３  結合領域、  ３４  切欠き、  ３５  突出部、  ３６  導入斜面、  ３７  段部、  ３８  縁部、  ３９  端面、  ４０  縁部、  ４１  溝、  ４２  シールエレメント、  ４３  シールクラウン、  ４４  ケーブルシール部材、  ４５  アンチキンクスリーブ、  ４６  係止手段、  ４７  ウェブ、  ４８  係止アーム、  ４９  係止突起、  ５０  切欠き、  ５１  コネクタハウジング、  ５２  内側ハウジング、  ５３  フェルール、  ５４  ばね、  ５５  ソケット内側ハウジング、  ｘ  量
【図１】
0005273916.tif 000002
【図２】
0005273916.tif 000003
【図３ａ】
0005273916.tif 000004
【図３ｂ】
0005273916.tif 000005
【図４ａ】
0005273916.tif 000006
【図４ｂ】
0005273916.tif 000007
【図５】
0005273916.tif 000008
【図６】
0005273916.tif 000009
【図７ａ】
0005273916.tif 000010
【図７ｂ】
0005273916.tif 000011